(57)【要約】      （修正有）【課題】初心者でも容易に鯛を釣ることができる釣り用仕掛けを提供する。【解決手段】釣り糸を接続するための接続手段５と、第１釣り針１０と、前記接続手段５に一方の端部が接続され、もう一方の端部に前記第１釣り針１０が接続された第１釣り糸１６と、前記第１釣り糸１６に接続されたスプーン１２と、第２釣り針１４と、前記接続手段５に一方の端部が接続され、もう一方の端部に前記第２釣り針１４が接続された第２釣り糸１８と、前記第１釣り糸１６の前記第１釣り針１０側の端部に配置された貫通穴を有する玉状樹脂体で形成されたスペーサー１９と、を備える。【選択図】図１
0003182552.tif 000002
【実用新案登録請求の範囲】
【請求項１】
釣り糸を接続するための接続手段と、
第１釣り針と、
前記接続手段に一方の端部が接続され、もう一方の端部に前記第１釣り針が接続された第１釣り糸と、
前記第１釣り糸に接続されたスプーンと、
第２釣り針と、
前記接続手段に一方の端部が接続され、もう一方の端部に前記第２釣り針が接続された第２釣り糸と、
を備えた釣り用仕掛け。
【請求項２】
前記第１釣り糸の前記第１釣り針側の端部に配置されたスペーサーを更に備え、
前記スペーサーにより、前記スプーンと前記第１釣り糸との接続部が、前記第１釣り糸の前記第１釣り針側の端部に、前記スペーサーのサイズ以下に近づかないように構成された請求項１に記載の釣り用仕掛け。
【請求項３】
前記スペーサーが貫通穴を有する玉状樹脂体で構成された請求項２に記載の釣り用仕掛け。
【請求項４】
前記第１釣り糸の長さが、０．５ｃｍ〜３ｃｍであり、前記第２釣り糸の長さが２ｃｍ〜７ｃｍである請求項１から３のいずれか１項に記載の釣り用仕掛け。
【請求項５】
前記第１釣り糸の長さが、０．８ｃｍ〜２ｃｍであり、前記第２釣り糸の長さが３ｃｍ〜６ｃｍである請求項１から４のいずれか１項に記載の釣り用仕掛け。
【請求項６】
前記第１釣り糸の長さが、１．１ｃｍであり、前記第２釣り糸の長さが４．２ｃｍである請求項１から５のいずれか１項に記載の釣り用仕掛け。
【請求項７】
疑似餌を更に備え、
前記疑似餌に前記接続手段が接続された請求項１から６のいずれか１項に記載の釣り用仕掛け。
【請求項８】
前記疑似餌が小魚の形状をなしている請求項７に記載の釣り用仕掛け。
【請求項９】
小魚の形状をした前記疑似餌の上部から下部にかけて斜めに蛍光色による縞模様が形成されている請求項８に記載の釣り用仕掛け。
【考案の詳細な説明】
【技術分野】
【０００１】
本考案は、釣り用の仕掛けに関する。
【背景技術】
【０００２】
従来、鯛釣りには、様々な仕掛けが用いられてきた。その中で、特に鯛釣りのための有名な仕掛けとしては、例えば、テンヤがある。テンヤとは、円錐体の錘と、端部が前記錘を貫通して前記錘と接続している第１の釣り針と、前記錘と糸で接続された第２の釣り針とで構成されている。
【０００３】
また、特許文献１には、コマセかごを用いて仕掛けを作成する鯛釣り等の際に、前記コマセかごより先端側の仕掛けを構成する仕掛け具であって、釣竿側の釣糸を連結するための釣糸連結部を有する中空の本体部と、前記本体部の内部に配置された回転体と、前記回転体に一端が連結され他端が前記本体部より外部に導かれ且つ他端側端部に複数の釣針が連結される仕掛け釣糸とを備えた仕掛け具が開示されている。これにより、仕掛けを容易に収納できその絡みつきも防止できるとしている。
【先行技術文献】
【特許文献】
【０００４】
【特許文献１】特開２００３−４７３７７公報
【考案の概要】
【考案が解決しようとする課題】
【０００５】
しかしながら、従来の仕掛けは、釣りの初心者には扱いが難しく、なかなか鯛が釣れないという問題があった。特にテンヤの場合は、餌に鯛が食いついたときに、竿を引くタイミングが難しく、タイミングが悪い場合は、釣り針が鯛に引っかからずに鯛は逃げてしまう。釣りの初心者には、このタイミングを計るのが困難であった。
【０００６】
また、テンヤの場合は、竿を上下することにより仕掛けを水中で上下させるしゃくりと呼ばれる動作を行う必要があった。このように、手間がかかる割には、鯛が食いつく割合が低く、鯛をあまり釣ることができなかった。
【０００７】
本考案は、かかる実情に鑑み、初心者でも容易に、多くの鯛を釣ることが可能な釣り用仕掛けを提供しようとするものである。
【課題を解決するための手段】
【０００８】
上記各課題は、以下の考案で解決することができる。
即ち、本考案の釣り用仕掛けは、釣り糸を接続するための接続手段と、第１釣り針と、前記接続手段に一方の端部が接続され、もう一方の端部に前記第１釣り針が接続された第１釣り糸と、前記第１釣り糸に接続されたスプーンと、第２釣り針と、前記接続手段に一方の端部が接続され、もう一方の端部に前記第２釣り針が接続された第２釣り糸と、を備えたことを主要な特徴にしている。
これにより、魚、特に鯛その中でも真鯛を良く釣ることができる。また、しゃくりが不要で、置き竿も可能であり、釣り初心者でも容易に鯛を良く釣ることができる。
【０００９】
また、本考案の釣り用仕掛けは、前記第１釣り糸の前記第１釣り針側の端部に配置されたスペーサーを更に備え、前記スペーサーにより、前記スプーンと前記第１釣り糸との接続部が、前記第１釣り糸の前記第１釣り針側の端部に、前記スペーサーのサイズ以下に近づかないように構成されたことを主要な特徴にしている。
これにより、スペーサーによってスプーンが第１釣り針に近づきすぎることを防げるので、スプーンは、第１釣り針に餌のエビを取り付けたとき、エビのしっぽの場所に位置し、エビのしっぽのごとく海中で動いて鯛を誘う効果を発揮する。
【００１０】
更に、本考案の釣り用仕掛けは、前記スペーサーが貫通穴を有する玉状樹脂体で構成されたことを主要な特徴にしている。
【００１１】
更にまた、本考案の釣り用仕掛けは、前記第１釣り糸の長さが、０．５ｃｍ〜３ｃｍであり、前記第２釣り糸の長さが２ｃｍ〜７ｃｍである請求項１から３のいずれかであることを主要な特徴にしている。
これにより、魚を、特に鯛を良く釣り上げることができる。
【００１２】
また、本考案の釣り用仕掛けは、前記第１釣り糸の長さが、０．８ｃｍ〜２ｃｍであり、前記第２釣り糸の長さが３ｃｍ〜６ｃｍであることを主要な特徴にしている。
これにより、魚を、特に鯛を良く釣り上げることができる。
【００１３】
また、本考案の釣り用仕掛けは、前記第１釣り糸の長さが、１．１ｃｍであり、前記第２釣り糸の長さが４．２ｃｍであることを主要な特徴にしている。
これにより、魚を、特に鯛をいっそう良く釣り上げることができる。
【００１４】
更に、本考案の釣り用仕掛けは、疑似餌を更に備え、前記疑似餌に前記接続手段が接続されたことを主要な特徴にしている。
これにより、魚を、特に鯛をいっそう良く釣り上げることができる。
【００１５】
更にまた、本考案の釣り用仕掛けは、前記疑似餌が小魚の形状をなしていることを主要な特徴にしている。
これにより、魚を、特に鯛をいっそう良く釣り上げることができる。
【００１６】
また、本考案の釣り用仕掛けは、小魚の形状をした前記疑似餌の上部から下部にかけて斜めに蛍光色による縞模様が形成されていることを主要な特徴にしている。
これにより、早朝等の薄暗い時間帯においても、魚、特に鯛をよりよく釣ることができる。
【考案の効果】
【００１７】
本考案によれば、釣りの初心者でも鯛を容易に釣ることができる。
【図面の簡単な説明】
【００１８】
【図１】本考案の一実施形態に係る釣り用仕掛けの斜視図である。
【図２】釣り用仕掛けの他の実施形態の斜視図である。
【図３】蛍光色模様を設けた小魚形状の疑似餌の側面図である。
【図４】ひねり針の正面図及び側面図である。
【図５】餌であるエビを釣り用仕掛けに取り付けたときの斜視図である。
【図６】釣り用仕掛けを用いた釣りの説明図である。
【考案を実施するための形態】
【００１９】
以下、添付図面に従って本考案の好ましい実施の形態について説明する。本考案は以下の好ましい実施の形態により説明されるが、本考案の範囲を逸脱すること無く、多くの手法により変更を行うことができ、本実施の形態以外の他の実施の形態を利用することができる。従って、本考案の範囲内における全ての変更が実用新案登録請求の範囲に含まれる。また、本明細書において「〜」を用いて表される数値範囲は、「〜」の前後に記載される数値を含む範囲を意味する。
【００２０】
＜構成＞
本考案の一実施形態について図面を参照して説明する。図１は、本考案の一実施形態に係る釣り用仕掛けの斜視図である。図１に示すように、本考案の釣り用仕掛け１は、釣り糸を接続するための接続手段５と、第１釣り針１０と、スプーン１２と、第２釣り針１４と、第１釣り糸１６と、第２釣り糸１８と、を主に備えて構成される。
【００２１】
第１釣り糸１６は、一方の端部が接続手段５に接続され、もう一方の端部が第１釣り針１０に接続されている。また、第１釣り糸１６には、スプーン１２が接続されている。スプーン１２は、図１に示すように糸と接続するための部材（図１においてはスイベル９を介して接続）を介して第１釣り糸１６に接続されることが好ましいが、直接第１釣り糸１６に接続しても良い。本考案においては、スプーンとは、スプーンを釣り糸に接続するための部材も含んだ概念として考える。
【００２２】
第２釣り糸１８は、一方の端部が接続手段５に接続され、もう一方の端部が第２釣り針１４に接続されている。
【００２３】
ここで、釣り用仕掛け１は、スペーサー１９を更に備えても良い。スペーサー１９は、第１釣り糸１６の第１釣り針が接続されている側の端部に設置される。これにより、スプーン１２と第１釣り糸１６との接続部であるスプーン／糸接続部が、第１釣り針１０に接近することを防ぐことができる。スペーサー１９としては、例えば、商品名「ソフトビーズ」として市販されている、貫通穴を有する柔軟性のある玉状樹脂体を使用することができる。
【００２４】
柔軟性のある玉状樹脂体を使用することにより、真鯛が噛んだときに真鯛に違和感を与えることを防ぐことができる。硬質の玉状樹脂体を使用した場合は、真鯛が噛んだときに、噛み砕くことができないので、違和感を感じてはき出してしまう恐れがある。
【００２５】
即ち、スペーサー１９が存在するために、スペーサー１９のサイズよりも第１釣り針１０に近い位置にスプーン／糸接続部が近づくことは無い。これにより、スプーン１２自体も第１釣り針１０に近づきすぎない。考案者の鋭意研究により、スペーサー１９を設けて、スプーン１２を第１釣り針１０からある程度離すことにより、魚、特に鯛を釣ることに効果があることを見いだした。鯛全般に効果があるが、特に真鯛に効果がある。
【００２６】
これは、餌であるエビのしっぽ側端部に第１釣り針１０を接続し、エビの頭側端部に第２釣り針１４を接続したとき、スプーン１２がちょうどエビのしっぽの位置にきて、スプーン１２が動くと、魚には、エビのしっぽが動いているように見えるからではないかと推測される。
【００２７】
スプーン／糸接続部は、例えば円環で構成することができ、第１釣り糸１６がこの円環の中を貫通していることにより、このスプーン／糸接続部が第１釣り糸１６上を移動可能になるように構成することができる。しかしながら、スプーン／糸接続部は、これに限定されるものでは無く、釣りの仕掛けにおいて一般的に使用される任意の接続方法を採用することができる。
【００２８】
ここで、本考案者は、試行錯誤を繰り返した鋭意研究により、魚、特に鯛を良く釣るためには、第１釣り糸１６の長さが０．５ｃｍ〜３ｃｍで、第２釣り糸１８の長さが２ｃｍ〜７ｃｍであることが好ましく、第１釣り糸１６の長さが０．８ｃｍ〜２ｃｍで、第２釣り糸１８の長さが３ｃｍ〜６ｃｍであること
がより好ましく、第１釣り糸１６の長さが１．１ｃｍで、第２釣り糸１８の長さが４．２ｃｍであることが最も好ましいことを発見した。
【００２９】
また、第１釣り針１０、第１釣り糸１６、第２釣り針１４、第２釣り糸１８は、餌であるエビに似た色である赤、またはピンクを使用することが好ましい。鯛に警戒心を起こさせないためである。
【００３０】
次に、図２を参照して説明する。図２は、釣り用仕掛けの他の実施形態の斜視図である。図２に示すように、本考案の釣り用仕掛けは、疑似餌２０を更に備えていても良い。
【００３１】
疑似餌としては、通常釣りにおいて使用される様々な疑似餌を使用することができるが、６．３ｃｍ程度の小魚の形状をした疑似餌を用いることが好ましい。本考案者は、この疑似餌を用いることにより、他の疑似餌よりも魚の食いつきが良くなることを発見した。
【００３２】
小魚の形状をした疑似餌を用いる場合は、小魚形状の尾びれ側端部に接続手段５を接続することができる。また、疑似餌には、更にスプーン２２を接続しても良い。スプーン２２は、コロイド型（涙型）で、色は真鯛の好む金色が良いが、食いが悪いときに餌であるエビを真鯛に見せたい場合は、スリムな木の葉型のウィロータイプを用いても良い。
【００３３】
また、真鯛が鰯を補食していると思われるとき（魚群探知機に鰯の群れの反応があるとき）や、早朝や、曇り時などは、金色よりも明るいシルバー色を用いた方が良い。
【００３４】
また、小魚形状の疑似餌には、図３（蛍光色模様を設けた小魚形状の疑似餌の側面図）に示すように、小魚形状の疑似餌の上部から下部にかけて斜めに蛍光塗料により蛍光色のライン３０を複数設けて縞模様にしても良い。このように、蛍光色のライン３０による斜めの縞模様を設けることにより、早朝等のまだ薄暗い中においても、蛍光色が目立つので、魚の食いつきが良くなる。
【００３５】
ここで、考案者の鋭意研究により、斜めにライン３０を設けた場合は、魚の食いつきが良いが、斜め以外、例えば、縦縞、横縞状にラインを設けた場合は、魚の食いつきが悪いことを発見した。また、斜めのライン３０は、ライン間の隙間が２mm程度になるように設けることが好ましいことも発見した。
【００３６】
また、小魚形状の疑似餌は、竿につながる釣り糸との接続部の下方に重心があることが好ましい。これにより、海中で水平の姿勢がとれるからである。
【００３７】
また、本考案に係る釣り用仕掛けの第１釣り針１０と、第２釣り針１４とは、ひねり針を使用することが望ましい。ここで、ひねり針について図面を参照して説明する。図４は、ひねり針の正面図及び側面図である。ひねり針４０とは、図４のひねり針の正面図（Ａ）に示すように、鍵状に曲がった針先に少しひねりが加わった針のことである。
【００３８】
つまり、針を構成する棒状体が属する平面から、針先だけが曲がって飛び出した形態になっている。これにより、真鯛が針を横に加えても唇に針が刺さるため確実に真鯛を釣ることができる。よって、第１釣り針１０も第２釣り針１４もひねり針４０を用いることが好ましい。
【００３９】
このようなひねり針としてチヌ針６号を用いることが好ましい。サイズは、７号では大きすぎて小鯛に対する針掛かりが悪く、５号では小さすぎて大鯛の引きに耐えられないからである。
【００４０】
＜作動＞
次に、釣り用仕掛けの作動について図面を参照して説明する。図５は、餌であるエビを釣り用仕掛けに取り付けたときの斜視図である。図５に示すように、エビ５０は、しっぽが切断され、第１釣り針１０は、エビ５０のしっぽ切断部あたりから内部に挿入される。
【００４１】
また、第２釣り針１４は、エビ５０の頭部からエビ５０の内部に挿入される。このとき、スプーン１２は、エビ５０の尻部付近に位置することになるので、水中では、スプーン１２は、あたかもエビ５０のしっぽのように海水の流れで動き、魚を誘う効果を発揮する。
【００４２】
このとき、スペーサー１９が存在すれば、スプーン１２はエビ５０に近づきすぎず、水中においてあたかもエビ５０のしっぽのごとく動いて魚を誘う。スペーサー１９は、必須というわけでは無いが、スペーサー１９が無い場合は、スプーン１２は、動いてエビ５０の体の例えば背中に触れる場合もありうるが、実際のエビが自分のしっぽを自分の体、特に背中に当てることは無い。よって、魚にとっては、不自然に見えるのではないかと思われる。
【００４３】
次に、図６を参照して説明する。図６は、釣り用仕掛けを用いた釣りの説明図である。餌であるエビ５０が取り付けられた釣り用仕掛け１は、海に投入される。竿６２を動かすことにより、釣り用仕掛け１を動かして獲物の魚である鯛６４を誘うことができる。
【００４４】
これにより、スプーン１２，２２がひらひら動くことにより、また、餌であるエビ５０や疑似餌２０が動いているように見えることにより、鯛６４が誘われてエビ５０に食いつく。エビ５０に食いついた鯛は、エビ５０に仕掛けられた第１釣り針１０、第２釣り針１４の片方、又は両方に引っかかり、釣り上げられる。第１釣り針１０と第２釣り針１４とが、ひねり針４０を使用している場合は、更に確実に鯛の口中または唇に引っかかり、確実に鯛を釣り上げることができる。
【００４５】
また、本考案の釣り用仕掛け１は、置き竿においても、鯛を良く釣ることができることが確かめられた。従来のテンヤによる鯛釣りでは、しゃくりが必要であったが、本考案の釣り用仕掛け１においては、しゃくりをせず、置き竿においても鯛を良く釣ることができる。
【００４６】
置き竿の場合、釣り用仕掛け１は、水中で大きく移動はしないが、水流により少しの移動がある。また、水流によりスプーン１２，２２がひらひら動き鯛を誘う。特に、エビ５０の尻部に位置するスプーン１２は、あたかもエビ５０のしっぽのごとく動くので、鯛は、誘われてエビ５０に食いつき釣り上げられる。
【００４７】
早朝等の薄暗い時には、図３に示すような疑似餌２０に蛍光色による斜めの縞模様が設けられたものを使用することが好ましい。この蛍光色の縞模様により、疑似餌２０がよく目立つので、薄暗い時間帯においても鯛６４を良く釣ることができる。
【００４８】
本考案者は、蛍光色と、蛍光色でない通常の色とで評価を行ったが、蛍光色の方が良く鯛を釣ることができた。また。蛍光色を使用して、様々な縞模様で鯛の連れ具合を評価したが、縦縞、横縞では無く、図３に示すような、疑似餌の上部から下部にかけて斜めの縞模様の時が一番良く釣れた。
【符号の説明】
【００４９】
１      釣り用仕掛け
５      接続手段
９      スイベル
１０    第１釣り針
１２    スプーン
１４    第２釣り針
１６    第１釣り糸
１８    第２釣り糸
１９    スペーサー
２０    疑似餌
２２    スプーン
３０    ライン
４０    ひねり針
５０    エビ
６２    竿
６４    鯛
【図１】
0003182552.tif 000003
【図２】
0003182552.tif 000004
【図３】
0003182552.tif 000005
【図４】
0003182552.tif 000006
【図５】
0003182552.tif 000007
【図６】
0003182552.tif 000008